(57)【特許請求の範囲】
【請求項１】
画像表示装置と、
前記画像表示装置の画面の明るさ、コントラスト、彩度、色調のなかの少なくとも１つの項目の調整範囲について、第１調整範囲において調整する第１調整手段と、
前記項目の調整範囲について、第２調整範囲において調整する第２調整手段とを備え、
前記第１調整範囲と前記第２調整範囲とが異なる
ことを特徴とする撮像装置。
【請求項２】
前記第２調整手段は、前記画像表示装置の画面の明るさ、コントラスト、彩度、色調のなかの少なくとも２つの項目について、連動して前記第２調整範囲において調整することを特徴とする請求項１に記載の撮像装置。
【請求項３】
前記少なくとも２つの項目が、明るさとコントラストを含むことを特徴とする請求項２に記載の撮像装置。
【請求項４】
前記第１調整手段が前記画面の明るさのみを変更することを特徴とする請求項３に記載の撮像装置。
【請求項５】
前記画面の明るさに対する前記第１調整範囲の最少設定と最大設定は、前記第２調整範囲の最少設定と最大設定の間にあり、前記第２調整手段におけるコントラストの調整範囲が前記第１調整手段におけるコントラストの調整範囲外にまで行われることを特徴とする請求項３〜４の何れか一項に記載の撮像装置。
【請求項６】
所定の前記項目に対する前記第１調整範囲の調整可能幅が、該項目に対する前記第２調整範囲の調整可能幅より狭く、前記第１調整手段における調整ステップが、前記第２調整手段における調整ステップより細かいことを特徴とする請求項１〜５の何れか一項に記載の撮像装置。
【請求項７】
前記第１調整手段に用いられて第１調整範囲内で調整操作をする第１操作部材と前記第２調整手段に用いられて第２調整範囲内で調整操作をする第２操作部材は同一の部材であることを特徴とする請求項１〜６の何れか一項に記載の撮像装置。
【請求項８】
前記第１調整手段において既に所定の前記項目が初期状態以外の第１の状態に調整されているとき、前記第２調整手段が操作されると、前記第１の状態を記憶したまま、前記第２調整手段において前記所定の項目が第２の状態に調整されることを特徴とする請求項１〜７の何れか一項に記載の撮像装置。
【請求項９】
前記第２調整手段において調整された前記第２の状態は、確定操作によって確定されることを特徴とする請求項８に記載の撮像装置。
【請求項１０】
前記確定操作によって前記第２の状態が確定された後、前記第２調整手段において前記第１の状態に戻す調整がされると、記憶していた前記第１の状態が再現されることを特徴とする請求項９に記載の撮像装置。
【請求項１１】
前記第１調整手段において所定の前記項目が初期状態以外の第１の状態に調整されている時、前記第２調整手段が操作されると、前記第１の状態を第２調整手段による調整ステップのひとつに含めて、第２調整範囲内の調整が実行されることを特徴とする請求項１〜１０の何れか一項に記載の撮像装置。
【発明の詳細な説明】
【技術分野】
【０００１】
本発明は、画像表示装置の明るさを調整できる撮像装置に関する。
【背景技術】
【０００２】
デジタルカメラは、ライブビュー画像や撮影画像、あるいは各種の情報を表示するための液晶モニタなどの画像表示装置を備える。画像表示装置に表示される画像の視認性を維持するには、その明るさを使用環境における周囲の光量に応じて調整する必要がある。このような問題に対して、液晶表示部の周囲の光量を光量検出部で計測し、液晶表示部の補助光源の点灯／消灯を制御する構成が提唱されている（特許文献１参照）。
【先行技術文献】
【特許文献】
【０００３】
【特許文献１】特開２００１−１０９４３４号公報
【発明の概要】
【発明が解決しようとする課題】
【０００４】
しかし、特許文献１における液晶画面のバックライトの明るさ調整は、調節できる幅（最明状態と最暗状態との幅）については考慮されていない。そのため例えば、晴天の直射日光下のような極端な環境下では、自動調節幅内で最明状態でも不十分であったり、逆にそれを避けるため自動調節幅を拡大しておくと、被写体の色が破たんしてしまっても撮影者が気づかず撮影してしまう不都合が生じる。また、天体撮影時など非常に暗い環境下においては、自動調節幅内でも明かる過ぎて他の撮影者の迷惑になってしまう場合があるが、それを避ける為、自動調節幅を拡大しておくと、やはり被写体の色が崩れていることに気づかず、撮影を継続してしまうという不都合が生じる。
【０００５】
本発明は、撮像装置に設けられた画像表示装置の利便性を高めることを目的とする。
【課題を解決するための手段】
【０００６】
本発明の撮像装置は、画像表示装置と、画像表示装置の画面の明るさ、コントラスト、彩度、色調のなかの少なくとも１つの項目の調整範囲について、第１調整範囲において調整する第１調整手段と、項目の調整範囲について、第２調整範囲において調整する第２調整手段とを備え、第１調整範囲と第２調整範囲とが異なることを特徴としている。
【０００７】
第２調整手段は、画像表示装置の画面の明るさ、コントラスト、彩度、色調のなかの少なくとも２つの項目について、連動して第２調整範囲において調整する。少なくとも２つの項目は、明るさとコントラストを含む。第１調整手段は、例えば画面の明るさのみを変更する。画面の明るさに対する第１調整範囲の最少設定と最大設定は、第２調整範囲の最少設定と最大設定の間にあり、第２調整手段におけるコントラストの調整範囲は、第１調整手段におけるコントラストの調整範囲外にまで行われる。
【０００８】
所定の項目に対する第１調整範囲の調整可能幅は、該項目に対する第２調整範囲の調整可能幅より狭く、第１調整手段における調整ステップは、第２調整手段における調整ステップより細かい。第１調整手段に用いられて第１調整範囲内で調整操作をする第１操作部材と第２調整手段に用いられて第２調整範囲内で調整操作をする第２操作部材は同一の部材である。第１調整手段において既に所定の前記項目が初期状態以外の第１の状態に調整されているとき、第２調整手段が操作されると、第１の状態を記憶したまま、第２調整手段において所定の項目が第２の状態に調整される。第２調整手段において調整された第２の状態は、確定操作によって確定される。確定操作によって第２の状態が確定された後、第２調整手段において第１の状態に戻す調整がされると、記憶していた第１の状態が再現される。第１調整手段において所定の項目が初期状態以外の第１の状態に調整されている時、第２調整手段が操作されると、第１の状態を第２調整手段による調整ステップのひとつに含めて、第２調整範囲内の調整が実行される。
【発明の効果】
【０００９】
本発明によれば、撮像装置に設けられた画像表示装置の利便性を高めることができる。
【図面の簡単な説明】
【００１０】
【図１】本発明の撮像装置の一実施形態であるデジタルカメラの背面図である。
【図２】ＬＣＤ（画像表示装置）設定画面の一例を示す図である。
【図３】ライブビュー表示モード（撮影待機状態）の画面の一例を示す図である。
【図４】第２の明るさ調整用画面の一例を示す図である。
【発明を実施するための形態】
【００１１】
以下、本発明の実施の形態を、図面を参照して説明する。図１は、本発明の撮像装置の一実施形態であるデジタルカメラの背面図である。
【００１２】
本実施形態の撮像装置は、例えばデジタルカメラ１０である。デジタルカメラ１０の背面略中央左寄りには、バックライトを備えたＬＣＤなどの画像表示装置１１が配置される。画像表示装置１１の右側には、確認ボタン１２、４方向キー１３、決定ボタン１４、メニュー（ＭＥＮＵ）ボタン１５、情報（ＩＮＦＯ）ボタン１６等が配置される。また画像表示装置１１の上方略中央には、光学ファインダ１７が配置される。
【００１３】
デジタルカメラ１０は、画像表示装置１１の明るさ、コントラスト、彩度、色調の各項目について調整する機能を備える。また、本実施形態のデジタルカメラ１０は、各項目の調整に関して、２種類の調整方法を備える。
【００１４】
所定の項目に対する第１の調整（第１調整手段）では、メニューボタン１５を操作して、画像表示装置１１にメニュー画面を表示させ、４方向キー１３の操作により、図２のようなＬＣＤ（画像表示装置）設定画面Ｓ１を表示させる。ＬＣＤ設定画面Ｓには、例えば上から明るさ、彩度、色調（ブルー（Ｂ）／アンバー（Ａ））、色調（グリーン（Ｇ）／マゼンタ（Ｍ））コントラストのそれぞれ１次元的なスライドバー２０Ｂ、２０Ｓ、２０Ｈ、２０Ｉ、２０Ｃが表示される。ユーザは例えば４方向キー１３の上下方向キーを操作してスライドバー２０Ｂ、２０Ｓ、２０Ｈ、２０Ｉ、２０Ｃの何れかを選択し、４方向キー１３の左右方向キー（第１操作部材）を操作して各項目（パラメータ）の値を変更する。例えば図２に示されるスライドバー２０Ｂ、２０Ｓ、２０Ｈ、２０Ｉ、２０Ｃでは、中央が０（調整なし）、最大値が＋１段、最小値が−１段であり、４方向キー１３の左右何れかのキーを１回操作する毎に０．２段のステップで各パラメータの値（段）が変更される。
【００１５】
所定の項目が「明るさ」の場合には、スライドバー２０Ｂ、２０Ｓ、２０Ｈ、２０Ｉ、２０Ｃの中から４方向キー１３の上下方向キーを操作して明るさのスライドバー２０Ｂを選択し、左右方向キー（第１操作部材）を操作して、その値を調整ステップ０．２段（ＥＶ）で−１〜＋１段（ＥＶ）の設定範囲で変更する。また決定ボタン１４が操作されると、スライドバー２０Ｂ上で選択されているパラメータの値が設定値として確定されて、上位階層メニュー表示に戻る。スライドバー２０Ｂを用いた明るさの調整では、例えば画像表示装置１１のバックライトの明るさを調整するバックライト調整機能を用いて明るさが調整され、画面に表示される画像の例えば色が崩れない範囲（第１調整範囲）で画像表示装置１１の画面の明るさが調整される。
【００１６】
一方、本実施形態の所定の項目に対する第２の調整（第２調整手段）は、撮影待機状態下においてデジタルカメラ１０に設けられる操作ボタン（キー）の何れかに割り当てられる。すなわち、撮影待機状態であるライブビュー表示モードや、光学ファインダモードにおいては、操作ボタン（キー）の何れかが、所定の項目に対して第２の調整を起動するための操作ボタン（キー）に割り当てられる。そのため、第２の調整は、第１調整手段のようにメニュー画面の深い階層に潜ることなく、同操作ボタン（キー）を操作することで直接起動できる。本実施形態では、例えば、４方向キー１３の下方向キーが第２調整を起動するためのキーに割り当てられる。
【００１７】
例えば、所定の項目が「明るさ」の場合、図３のようなライブビュー表示モード（撮影待機状態）の画面ＳＬにおいて、４方向キー１３の下方向キーが操作されると、図４のような第２の明るさ調整用の画面Ｓ２が表示される。第２の明るさ調整では、１次元的に例えば−２〜＋２段（ＥＶ）の範囲で調整ステップを「１」段（ＥＶ）として、画像表示装置１１の明るさが調整可能である。４方向キー１３の下方向キーが操作され第２の明るさ調整が起動されて、画面Ｓ２が画像表示装置１１に表示されると、ユーザは４方向キー１３の左右方向キー（第２操作部材）を操作して、図４の中央に表示される±０を中心に右側に「＋１」、「＋２」、左側に「−１」、「−２」の値を選択可能となる。何れかの段にカーソルを合わせ、決定ボタン１４を操作すると、その時カーソルが位置する段が画像表示装置１１の明るさの設定として確定されて図３の表示に戻る。
【００１８】
なお、第２の明るさ調整におけるパラメータ値の調整範囲（設定可能範囲）は、第１の明るさ調整とは異なる範囲として構成される。本実施形態では、第２の明るさ調整用の第２調整範囲は、第１の明るさ調整用の第１調整範囲よりも広く構成される。また本実施形態では、第１調整範囲が第２調整範囲に含まれ、第２調整範囲の調整ステップ「１」は、第１調整範囲の調整ステップ「０．２」よりも大きく設定される。
【００１９】
第２の明るさ調整における−１〜＋１の範囲における調整は、第１の明るさ調整でのバックライトの調光制御と同じである。すなわち、第１の明るさ調整における設定値「±１」と、第２の明るさ調整における設定値「±１」では、画面の表示は同じである。一方、「−２」は、「−１」より暗い設定であり、「＋２」は「＋１」よりも明るい設定であり、メニュー操作（第１調整手段）による第１の明るさ調整作業では、設定できない。
【００２０】
第２の明るさ調整における設定値「±２」では、必ずしも画像の色崩れがないことが保証される必要はない。すなわち設定値「＋２」では、バックライト調整機能を駆動してバックライトが設定値「＋１」のときよりも明るくされ、設定値「−２」では、バックライト調整機能を駆動してバックライトが設定値「−１」のときよりも暗くされる。
【００２１】
設定値「＋２」などの画像の色崩れを考慮しない設定は、例えばアウトドア撮影におけるモニタを通しての被写体観察において有用である。また、設定値「−２」などの設定は、例えば天体撮影などにおけるモニタ表示において有用である。前者の場合には、色合いよりも構図の確認の方が相対的に優先され、明るい陽射しの下では画面の視認性のために画面をより明るくすることが望まれ、後者の天体撮影等では暗闇に対する目の慣れを維持するためや、周囲の他の撮影者の邪魔にならないことを優先し画面をより暗くすることが望まれる。また、例えば構図の視認性の向上と言う観点からは、設定値「±２」が選択されるときには、コントラストの値も同時に変更する（連動させる）ことが望ましい。したがって、本実施形態では、設定値「±２」が選択される際には、コントラスト値も高い値に連動させて設定変更する。
【００２２】
本実施形態の構成では、第１の明るさ調整の調整ステップの方が第２の明るさ調整における調整ステップよりも細かいため、第１の明るさ調整で設定された値には、第２の明るさ調整における選択肢としては存在しないものがある。したがって、第１の明るさ調整で明るさが設定されている状態（第１の状態）で、第２の明るさ調整が開始されるときには、設定値（第１の状態）を第２の明るさ調整の調整ステップに合わせるか（最も近い値に強制変更）、第２の明るさ調整の調整ステップのひとつを第１の状態に変更する必要がある。また、第２の明るさ調整によって、第１の明るさ調整では設定できない値に設定されている状態における第１の明るさ調整の挙動も熟慮しなければ優れたユーザインタフェスは成しえない。
【００２３】
第１の明るさ調整で「０」以外に設定されている状態における第２の明るさ調整の挙動の一例について説明する。例えば第１の明るさ調整で、明るさが「−０．４」に設定された状態で、第２の明るさ調整が起動されると、設定値「−０．４」が記憶され、第２の明るさ調整では、（−２、−１、−０．４、＋１、＋２）の値が選択可能となる。このとき、「−０．４」からスタートして、ユーザが右方向キーを１回操作すると「＋１」となり、更に左方向キーを１回操作すると再び「−０．４」に戻る。一方、第２の明るさ調整によって「０」以外が設定されている状態における第１の明るさ調整の挙動ついては、例えば第２の明るさ調整によって「−１」が設定されている時には、第１の明るさ調整によって調整ステップ０．２段で−２〜０段の設定範囲で変更できるようにしても良いし、第２の明るさ調整によって「−２」が設定されている時には、第１の明るさ調整によって調整ステップ０．２段で−３〜−１段の設定範囲で変更できるようにしても良いのであるが、第２の明るさ調整による設定は通常より「極端な設定」なのであって、それを微調整することにはあまり意味がない。それならば、第１の明るさ調整は「不可」として、複雑化を避けるのがベストと考える。この場合メニュー表示を他より薄く表示することで、ユーザに調整不可を示すことができる。
【００２４】
以上のように、本実施形態によれば、色確認を優先する調整範囲（第１の調整範囲）での明るさ調整に加え、色確認より構図確認を優先する範囲（第２の調整範囲）での明るさの調整も可能となり、画像表示装置を利用した構図の確認が容易となり、撮像装置に設けられた画像表示装置の明るさ調整の利便性を高められる。
【００２５】
また、追加した範囲（第２調整範囲）においてコントラストも調整（連動）することにより、構図の確認がより容易になるとともに、第２の明るさ調整（極端な調整）を第１の明るさ調整（微妙な調整）のような階層メニューによる手数の多い操作ではなく、特定の操作部材に割り当てることにより、より素早く同機能を呼び出すことができ操作性が向上する。しかし、いずれの調整手段においても直接調整操作をする操作部材（第１操作部材、第２操作部材）は、同一の操作部材（左右キー）であることが直感的で望ましい。
【００２６】
なお、第２の明るさ調整を呼び出すための操作部材（ショートカットキー）は、４方向キーの下方向キーである必要はなく、ユーザにより任意に機能が割り当てられる操作部材を用いることもできる。また、本実施形態は、明るさとコントラストを組み合わせた（連動させた）調整を別途設けたが、彩度と色調を組み合わせた調整など他のパラメータを組み合わせたパラメータ調整に適用することも可能である。
【００２７】
なお、本実施形態ではデジタルカメラを例に説明を行なったが、本発明はカメラ付き携帯やスマートホン、ビデオカメラなどにも利用できる。
【符号の説明】
【００２８】
１０  デジタルカメラ
１１  画像表示装置
１３  ４方向キー
１４  決定ボタン
１５  メニューボタン
１６  情報ボタン
２０Ｂ  第１の明るさ調整用スライドバー
Ｓ１  第１の明るさ調整用画面
Ｓ２  第２の明るさ調整用画面
【図１】
0006613932.tif 000002
【図２】
0006613932.tif 000003
【図３】
0006613932.tif 000004
【図４】
0006613932.tif 000005